(57)【要約】【課題】製造コストを上昇させずに、簡単な構成で電極に不良が生じるのを未然に防ぐことをができる振動片、振動子、発振器及び携帯電話装置を提供すること。【解決手段】基部電極部１４０ｄが形成されている基部１４０と、この基部から突出して形成される少なくとも１本の振動細棒１２０と、この振動細棒の表面１３０ｃ及び／又は裏面に形成されている溝電極部１２０ｄを有する溝部１２０ａと、前記振動細棒の前記溝部が形成されていない前記振動細棒の側面１２０ｂに形成されている側面電極部１２０ｅと、前記基部電極部と前記溝電極部とを接続する溝電極用接続電極部１４２と、前記基部電極部と前記側面電極部とを接続する側面電極用接続電極部１４１と、を有する振動片であって、前記振動細棒の表面及び／又は裏面には、前記側面電極用接続電極部と前記溝部電極部及び／又は前記溝電極用接続電極部とが、短絡しないための接続電極配置部Ｄが形成されていることで振動片１００を構成する。【選択図】図５
2006340392.tif 000002
【特許請求の範囲】
【請求項１】
基部電極部が形成されている基部と、
この基部から突出して形成される少なくとも１本の振動細棒と、
この振動細棒の表面及び／又は裏面に形成されている溝電極部を有する溝部と、
前記振動細棒の前記溝部が形成されていない前記振動細棒の側面に形成されている側面
電極部と、
前記基部電極部と前記溝電極部とを接続する溝電極用接続電極部と、
前記基部電極部と前記側面電極部とを接続する側面電極用接続電極部と、を有する振動
片であって、
前記振動細棒の表面及び／又は裏面には、前記側面電極用接続電極部と前記溝部電極部
及び／又は前記溝電極用接続電極部とが、短絡しないための接続電極配置部が形成されて
いることを特徴とする振動片。
【請求項２】
前記接続電極配置部は、前記溝部の近傍であって、
前記基部に近接している部分に形成されていることを特徴とする請求項１に記載の振動
片。
【請求項３】
前記接続電極配置部は、前記溝部の短手方向の幅を他の幅の部分より短くすることによ
り形成されることを特徴とする請求項１又は請求項２に記載の振動片。
【請求項４】
前記溝部の短手方向の他の幅の部分が、約０．０７ｍｍであり、前記溝部の他の幅の部
分より短く形成されている部分の幅が、約０．０６ｍｍであり、前記溝部が形成されてい
る振動細棒の表面又は／及び裏面の短手方向の幅が約０．１ｍｍであるように形成された
ことを特徴とする請求項１乃至請求項３のいずれか一項に記載の振動片。
【請求項５】
前記溝部が前記振動細棒の表面及び裏面に形成されていると共に、これら各々の振動細
棒の断面を溝部の深さ方向に形成した場合、その断面が略Ｈ型に形成されることを特徴と
する請求項１乃至請求項４のいずれか一項に記載の振動片。
【請求項６】
前記振動片が音叉型水晶振動片により形成されていることを特徴とする請求項１乃至請
求項５のいずれか一項に記載の振動片。
【請求項７】
前記音叉型水晶振動片の共振周波数が略３２ｋＨに成っていることを特徴とする請求項
６に記載の振動片。
【請求項８】
基部電極部が形成されている基部と、
この基部から突出して形成される少なくとも１本の振動細棒と、
この振動細棒の表面及び／又は裏面に形成されている溝電極部を有する溝部と、
前記振動細棒の前記溝部が形成されていない前記振動細棒の側面に形成されている側面
電極部と、
前記基部電極部と前記溝電極部とを接続する溝電極用接続電極部と、
前記基部電極部と前記側面電極部とを接続する側面電極用接続電極部と、を有する振動
片であり、
この振動片が、パッケージ内に収容されている振動子であって、
前記振動片の前記振動細棒の表面及び／又は裏面には、前記側面電極用接続電極部と前
記溝部電極部及び／又は前記溝電極用接続電極部とが、短絡しないための接続電極配置部
が形成されていることを特徴とする振動子。
【請求項９】
前記振動片の前記接続電極配置部は、前記溝部の近傍であって、
前記基部に近接している部分に形成されていることを特徴とする請求項８に記載の振動
子。
【請求項１０】
前記振動片の前記接続電極配置部は、前記溝部の短手方向の幅を他の幅の部分より短く
することにより形成されることを特徴とする請求項８又は請求項９に記載の振動子。
【請求項１１】
前記振動片の前記溝部の短手方向の他の幅の部分が、約０．０７ｍｍであり、前記溝部
の他の幅の部分より短く形成されている部分の幅が、約０．０６ｍｍであり、前記溝部が
形成されている振動細棒の表面又は／及び裏面の短手方向の幅が約０．１ｍｍであるよう
に形成されたことを特徴とする請求項８乃至請求項１０のいずれか一項に記載の振動子。
【請求項１２】
前記振動片の前記溝部が前記振動細棒の表面及び裏面に形成されていると共に、これら
各々の振動細棒の断面を溝部の深さ方向に形成した場合、その断面が略Ｈ型に形成される
ことを特徴とする請求項８乃至請求項１１のいずれか一項に記載の振動子。
【請求項１３】
前記振動片が音叉型水晶振動片により形成されていることを特徴とする請求項８乃至請
求項１２のいずれか一項に記載の振動子。
【請求項１４】
前記音叉型水晶振動片の共振周波数が略３２ｋＨに成っていることを特徴とする請求項
１３に記載の振動子。
【請求項１５】
前記パッケージが箱状に形成されていることを特徴とする請求項８乃至請求項１４のい
ずれか一項に記載の振動子。
【請求項１６】
前記パッケージが所謂シリンダータイプに形成されていることを特徴とする請求項８乃
至請求項１４のいずれか一項に記載の振動子。
【請求項１７】
基部電極部が形成されている基部と、
この基部から突出して形成される少なくとも１本の振動細棒と、
この振動細棒の表面及び／又は裏面に形成されている溝電極部を有する溝部と、
前記振動細棒の前記溝部が形成されていない前記振動細棒の側面に形成されている側面
電極部と、
前記基部電極部と前記溝電極部とを接続する溝電極用接続電極部と、
前記基部電極部と前記側面電極部とを接続する側面電極用接続電極部と、を有する振動
片であり、
この振動片と集積回路が、パッケージ内に収容されている発振器であって、
前記振動片の前記振動細棒の表面及び／又は裏面には、前記側面電極用接続電極部と前
記溝部電極部及び／又は前記溝電極用接続電極部とが、短絡しないための接続電極配置部
が形成されていることを特徴とする発振器。
【請求項１８】
基部電極部が形成されている基部と、
この基部から突出して形成される少なくとも１本の振動細棒と、
この振動細棒の表面及び／又は裏面に形成されている溝電極部を有する溝部と、
前記振動細棒の前記溝部が形成されていない前記振動細棒の側面に形成されている側面
電極部と、
前記基部電極部と前記溝電極部とを接続する溝電極用接続電極部と、
前記基部電極部と前記側面電極部とを接続する側面電極用接続電極部と、を有する振動
片であり、
この振動片がパッケージ内に収容されている振動子であり、
この振動子を制御部に接続して用いている携帯電話装置であって、
前記振動片の前記振動細棒の表面及び／又は裏面には、前記側面電極用接続電極部と前
記溝部電極部及び／又は前記溝電極用接続電極部とが、短絡しないための接続電極配置部
が形成されていることを特徴とする携帯電話装置。
【発明の詳細な説明】
【技術分野】
【０００１】
本発明は、例えば水晶等から成る振動片、この振動片を有する振動子、この振動子を備
える発信器や携帯電話装置に関する。
【背景技術】
【０００２】
従来、振動片である例えば音叉型水晶振動片は、例えば図１１に示すように構成されて
いる。
【０００３】
すなわち、音叉型水晶振動片１０は、基部１１と、この基部１１から突出するように形
成されていいる２本の腕部１２、１３を有している。そして、この２本の腕部１２，１３
には、溝１２ａ及び溝１３ａが設けられている。
【０００４】
この溝１２ａ，１３ａは、図１１においては表れていない腕部１２，１３の裏面にも同
様に設けられている。
【０００５】
このため、図１１のＡ−Ａ'断面図である図１２に示すように腕部１２，１３は、その
断面形状が略Ｈ状に形成されることになる。
【０００６】
このような略Ｈ型の音叉型水晶振動片１０は、振動片の大きさを従来より著しく小型化
しても、腕部１２，１３の振動損失が低くＣＩ値（クリスタルインピーダンス又は等価直
列抵抗）も低く抑えることができるという特性を有する。
【０００７】
このため、略Ｈ型の音叉型水晶振動片１０は、例えば特に小型でも高精度な性能を求め
られる振動子に適している。このような振動子としては、例えば共振周波数が３２．７６
８ｋＨの小型の振動子等があり、このような振動子の振動片として前記略Ｈ型の音叉型水
晶振動片１０を用いることが検討されている。そして、この共振周波数が３２．７６８ｋ
Ｈの小型の振動子等は、最終的には、例えば時計等の精密機器に組み込まれて使用される
ことになる。
【０００８】
ところで、上述のような略Ｈ型の音叉型水晶振動片１０は、外部より電流が印加される
と腕部１２、１３が振動するようになっている。具体的には、図１１及び図１２に示す溝
１２ａ、１３ａに溝電極が形成され、これら溝１２ａ，１３ａが設けられていない腕部１
２、１３の面である両側面１２ｂ，１３ｂに側面電極が形成される。そして、電流が印加
されると溝電極と側面電極との間で電界が生じ腕部１２，１３が振動するようになってい
る。
【０００９】
ところで、このような溝電極と側面電極は、上述のように外部から電流が印加されるの
であるが、具体的には、外部から音叉型水晶振動片１０の基部１１に設けられている基部
電極を介して、電流は溝電極や側面電極に供給されることになる。
【００１０】
このため、基部電極と溝電極や側面電極とを接続する接続電極が必要となる。この接続
電極のうち基部電極と溝電極とを接続する溝電極用接続電極は、図１１における基部表面
１１ｃに配置される。また、基部電極と側面電極とを接続する側面電極用接続電極は、例
えば、基部表面１１ｃと腕部表面１２ｃとに配置される。
【００１１】
ところが、この腕部表面１２ｃには、溝１２ａ及び溝電極が形成されているため、腕部
表面１２ｃに配置される側面電極用接続電極は、溝１２ａが形成されていない部分（図１
１における斜線部分）に配置せざるを得ないことになり、この領域に側面電極用接続電極
を配置していた。
【発明の開示】
【発明が解決しようとする課題】
【００１２】
しかし、上述のように、略Ｈ型の音叉型水晶振動片１０は、例えば共振周波数が３２．
７６８ｋＨの小型の振動子等に搭載されるため、特に小型化が要求されており、これに伴
い腕部１２、１３の図１１における横方向に幅が例えば０．１ｍｍ程度、溝１２ａ、１３
ａの図において横方向の幅が例えば０．０７ｍｍ程度まで小型化されている。
【００１３】
したがって、上述の基部電極と側面電極とを接続する側面電極用接続電極を配置する腕
部表面１２ｃにおける領域（図１１における斜線部分）の図における幅Ｗは、例えば０．
０１５ｍｍ程度と制限されてしまう。
【００１４】
ところで、腕部表面１２ｃに配置しようとする側面電極用接続電極の幅は、最も狭くて
も０．０１ｍｍ程度は必要である。これでは、理論上、側面電極用接続電極と溝電極又は
溝電極用接続電極との間は僅か０．０１ｍｍであり、実際の製造工程における誤差を考慮
すると側面電極用接続電極と溝電極又は溝電極用接続電極とが接触したり、その他の短絡
を起こす可能性が高く、振動片の不良の原因となってしまうという問題があった。
【００１５】
また、このような電極同士の接触を防ぐように製造すると、製造コストが著しく上昇し
てしまうという問題もあった。
【００１６】
そこで、本発明は、以上の点に鑑み、製造コストを上昇させずに、簡単な構成で電極に
不良が生じるのを未然に防ぐことをができる振動片、振動子、発振器及び携帯電話装置を
提供することを目的とする。
【課題を解決するための手段】
【００１７】
前記目的は、請求項１の発明によれば、基部電極部が形成されている基部と、この基部
から突出して形成される少なくとも１本の振動細棒と、この振動細棒の表面及び／又は裏
面に形成されている溝電極部を有する溝部と、前記振動細棒の前記溝部が形成されていな
い前記振動細棒の側面に形成されている側面電極部と、前記基部電極部と前記溝電極部と
を接続する溝電極用接続電極部と、前記基部電極部と前記側面電極部とを接続する側面電
極用接続電極部と、を有する振動片であって、前記振動細棒の表面及び／又は裏面には、
前記側面電極用接続電極部と前記溝部電極部及び／又は前記溝電極用接続電極部とが、短
絡しないための接続電極配置部が形成されていることを特徴とする振動片により、達成さ
れる。
【００１８】
請求項１の構成によれば、前記振動細棒の表面及び／又は裏面には、前記側面電極用接
続電極部と前記溝部電極部及び／又は前記溝電極用接続電極部とが、短絡しないための接
続電極配置部が形成されているので、前記側面電極用接続電極部、前記溝部電極部、前記
溝電極用接続電極部に不良が発生するのを未然に防ぐことができる。したがって、振動片
の不良の発生も未然に防ぐことができる。
【００１９】
好ましくは、請求項２の発明によれば、請求項１の構成において、前記接続電極配置部
は、前記溝部の近傍であって、前記基部に近接している部分に形成されていることを特徴
とする振動片である。
【００２０】
請求項２の構成によれば、前記接続電極配置部は、前記溝部の近傍であって、前記基部
に近接している部分に形成されているので、前記溝部の近傍であって、前記基部に近接し
ている部分の前記側面電極用接続電極部と前記溝部電極部とが近接する部分をできるだけ
小さくすることができるため、製造上、短絡する確率を減ずることができる。
【００２１】
好ましくは、請求項３の発明によれば、請求項１又は請求項２の構成において、前記接
続電極配置部は、前記溝部の短手方向の幅を他の幅の部分より短くすることにより形成さ
れることを特徴とする振動片である。
【００２２】
請求項３の構成によれば、前記接続電極配置部は、前記溝部の短手方向の幅を他の幅の
部分より短くすることにより形成されるので、前記接続電極配置部を容易に構成すること
ができる。
【００２３】
好ましくは、請求項４の発明によれば、請求項１乃至請求項３のいずれかの構成におい
て、前記溝部の短手方向の他の幅の部分が、約０．０７ｍｍであり、前記溝部の他の幅の
部分より短く形成されている部分の幅が、約０．０６ｍｍであり、前記溝部が形成されて
いる振動細棒の表面又は／及び裏面の短手方向の幅が約０．１ｍｍであるように形成され
たことを特徴とする振動片である。
【００２４】
請求項４の構成によれば、前記溝部の短手方向の他の幅の部分が、約０．０７ｍｍであ
り、前記溝部の他の幅の部分より短く形成されている部分の幅が、約０．０６ｍｍであり
、前記溝部が形成されている振動細棒の表面又は／及び裏面の短手方向の幅が約０．１ｍ
ｍであるような著しく小さい小型の振動片に対し容易に前記接続電極配置部を形成するこ
とができる。
【００２５】
好ましくは、請求項５の発明によれば、請求項１乃至請求項４のいずれかの構成におい
て、前記溝部が前記振動細棒の表面及び裏面に形成されていると共に、これら各々の振動
細棒の断面を溝部の深さ方向に形成した場合、その断面が略Ｈ型に形成されることを特徴
とする振動片である。
【００２６】
請求項５の構成によれば、前記略Ｈ型に形成される溝部を備える振動細棒を有する振動
片に対しても容易に前記接続電極配置部を形成することができる。
【００２７】
好ましくは、請求項６の発明によれば、請求項１乃至請求項５のいずれかの構成におい
て、前記振動片が音叉型水晶振動片により形成されていることを特徴とする振動片である
。
【００２８】
請求項６の構成によれば、前記音叉型水晶振動片により形成される振動片に対しても容
易に前記接続電極配置部を形成することができる。
【００２９】
好ましくは、請求項７の発明によれば、請求項６の構成において、前記音叉型水晶振動
片の共振周波数が略３２ｋＨに成っていることを特徴とする振動片である。
【００３０】
請求項７の構成によれば、共振周波数が略３２ｋＨに成っている前記音叉型水晶振動片
に対しても容易に前記接続電極配置部を形成することができる。
【００３１】
前記目的は、請求項８の発明によれば、基部電極部が形成されている基部と、この基部
から突出して形成される少なくとも１本の振動細棒と、この振動細棒の表面及び／又は裏
面に形成されている溝電極部を有する溝部と、前記振動細棒の前記溝部が形成されていな
い前記振動細棒の側面に形成されている側面電極部と、前記基部電極部と前記溝電極部と
を接続する溝電極用接続電極部と、前記基部電極部と前記側面電極部とを接続する側面電
極用接続電極部と、を有する振動片であり、この振動片が、パッケージ内に収容されてい
る振動子であって、前記振動片の前記振動細棒の表面及び／又は裏面には、前記側面電極
用接続電極部と前記溝部電極部及び／又は前記溝電極用接続電極部とが、短絡しないため
の接続電極配置部が形成されていることを特徴とする振動子により、達成される。
【００３２】
請求項８の構成によれば、前記振動片の前記振動細棒の表面及び／又は裏面には、前記
側面電極用接続電極部と前記溝部電極部及び／又は前記溝電極用接続電極部とが、短絡し
ないための接続電極配置部が形成されているので、前記側面電極用接続電極部、前記溝部
電極部、前記溝電極用接続電極部に不良が発生するのを未然に防ぐことができる。したが
って、振動子の不良の発生も未然に防ぐことができる。
【００３３】
好ましくは、請求項９の発明によれば、請求項８の構成において、前記振動片の前記接
続電極配置部は、前記溝部の近傍であって、前記基部に近接している部分に形成されてい
ることを特徴とする振動子である。
【００３４】
請求項９の構成によれば、前記振動片の前記接続電極配置部は、前記溝部の近傍であっ
て、前記基部に近接している部分に形成されているので、前記溝部の近傍であって、前記
基部に近接している部分の前記側面電極用接続電極部と前記溝部電極部の不良の発生を特
に効果的に防ぐことができる。
【００３５】
好ましくは、請求項１０の発明によれば、請求項８又は請求項９の構成において、前記
振動片の前記接続電極配置部は、前記溝部の短手方向の幅を他の幅の部分より短くするこ
とにより形成されることを特徴とする振動子である。
【００３６】
請求項１０の構成によれば、前記振動片の前記接続電極配置部は、前記溝部の短手方向
の幅を他の幅の部分より短くすることにより形成されるので、前記接続電極配置部を容易
に構成することができる。
【００３７】
好ましくは、請求項１１の発明によれば、請求項８乃至請求項１０のいずれかの構成に
おいて、前記振動片の前記溝部の短手方向の他の幅の部分が、約０．０７ｍｍであり、前
記溝部の他の幅の部分より短く形成されている部分の幅が、約０．０６ｍｍであり、前記
溝部が形成されている振動細棒の表面又は／及び裏面の短手方向の幅が約０．１ｍｍであ
るように形成されたことを特徴とする振動子である。
【００３８】
請求項１１の構成によれば、前記振動片の前記溝部の短手方向の他の幅の部分が、約０
．０７ｍｍであり、前記溝部の他の幅の部分より短く形成されている部分の幅が、約０．
０６ｍｍであり、前記溝部が形成されている振動細棒の表面又は／及び裏面の短手方向の
幅が約０．１ｍｍであるような著しく小さい小型の振動片を有する振動子に対し容易に前
記接続電極配置部を形成することができる。
【００３９】
好ましくは、請求項１２の発明によれば、請求項８乃至請求項１１のいずれかの構成に
おいて、前記振動片の前記溝部が前記振動細棒の表面及び裏面に形成されていると共に、
これら各々の振動細棒の断面を溝部の深さ方向に形成した場合、その断面が略Ｈ型に形成
されることを特徴とする振動子である。
【００４０】
請求項１２の構成によれば、前記略Ｈ型に形成される溝部を備える振動細棒を有する振
動片を有する振動子に対しても容易に前記接続電極配置部を形成することができる。
【００４１】
好ましくは、請求項１３の発明によれば、請求項８乃至請求項１２のいずれかの構成に
おいて、前記振動片が音叉型水晶振動片により形成されていることを特徴とする振動子で
ある。
【００４２】
請求項１３の構成によれば、前記音叉型水晶振動片により形成される振動片を有する振
動子に対しても容易に前記接続電極配置部を形成することができる。
【００４３】
好ましくは、請求項１４の発明によれば、請求項１３の構成において、前記音叉型水晶
振動片の共振周波数が略３２ｋＨに成っていることを特徴とする振動子である。
【００４４】
請求項１４の構成によれば、共振周波数が略３２ｋＨに成っている前記音叉型水晶振動
片を有する振動子に対しても容易に前記接続電極配置部を形成することができる。
【００４５】
好ましくは、請求項１５の発明によれば、請求項８乃至請求項１４の構成において、前
記パッケージが箱状に形成されていることを特徴とする振動子である。
請求項１５の構成によれば、前記パッケージが箱状に形成されている振動子に収容され
る振動片に対しても容易に前記接続電極配置部を形成することができる。
【００４６】
好ましくは、請求項１６の発明によれば、請求項８乃至請求項１４のいずれかの構成に
おいて、前記パッケージが所謂シリンダータイプに形成されていることを特徴とする振動
子である。
【００４７】
請求項１６の構成によれば、前記パッケージが所謂シリンダータイプに形成されている
振動子に収容される振動片に対しても容易に前記接続電極配置部を形成することができる
。
【００４８】
前記目的は、請求項１７の発明によれば、基部電極部が形成されている基部と、この基
部から突出して形成される少なくとも１本の振動細棒と、この振動細棒の表面及び／又は
裏面に形成されている溝電極部を有する溝部と、前記振動細棒の前記溝部が形成されてい
ない前記振動細棒の側面に形成されている側面電極部と、前記基部電極部と前記溝電極部
とを接続する溝電極用接続電極部と、前記基部電極部と前記側面電極部とを接続する側面
電極用接続電極部と、を有する振動片であり、この振動片と集積回路が、パッケージ内に
収容されている発振器であって、前記振動片の前記振動細棒の表面及び／又は裏面には、
前記側面電極用接続電極部と前記溝部電極部及び／又は前記溝電極用接続電極部とが、短
絡しないための接続電極配置部が形成されていることを特徴とする発振器により、達成さ
れる。
【００４９】
請求項１７の構成によれば、前記振動片の前記振動細棒の表面及び／又は裏面には、前
記側面電極用接続電極部と前記溝部電極部及び／又は前記溝電極用接続電極部とが、短絡
しないための接続電極配置部が形成されているので、前記側面電極用接続電極部、前記溝
部電極部、前記溝電極用接続電極部に不良が発生するのを未然に防ぐことができる。した
がって、発振器の不良の発生も未然に防ぐことができる。
【００５０】
前記目的は、請求項１８の発明によれば、基部電極部が形成されている基部と、この基
部から突出して形成される少なくとも１本の振動細棒と、この振動細棒の表面及び／又は
裏面に形成されている溝電極部を有する溝部と、前記振動細棒の前記溝部が形成されてい
ない前記振動細棒の側面に形成されている側面電極部と、前記基部電極部と前記溝電極部
とを接続する溝電極用接続電極部と、前記基部電極部と前記側面電極部とを接続する側面
電極用接続電極部と、を有する振動片であり、この振動片がパッケージ内に収容されてい
る振動子であり、この振動子を制御部に接続して用いている携帯電話装置であって、前記
振動片の前記振動細棒の表面及び／又は裏面には、前記側面電極用接続電極部と前記溝部
電極部及び／又は前記溝電極用接続電極部とが、短絡しないための接続電極配置部が形成
されていることを特徴とする携帯電話装置により、達成される。
【００５１】
請求項１８の構成によれば、前記振動片の前記振動細棒の表面及び／又は裏面には、前
記側面電極用接続電極部と前記溝部電極部及び／又は前記溝電極用接続電極部とが、短絡
しないための接続電極配置部が形成されているので、前記側面電極用接続電極部、前記溝
部電極部、前記溝電極用接続電極部に不良が発生するのを未然に防ぐことができる。した
がって、携帯電話装置の不良の発生も未然に防ぐことができる。
【発明を実施するための最良の形態】
【００５２】
以下、本発明の好適な実施の形態を図面に基づいて説明する。
【００５３】
（第１の実施の形態）
図１は、本発明の第１の実施の形態に係る電極が設けられていない略Ｈ型の音叉型水晶
振動片１００を示す概略斜視図である。
【００５４】
この略Ｈ型の音叉型水晶振動子１００は、例えば水晶の単結晶から切り出され音叉型に
加工されて形成されている。このとき、図１に示すＸ軸が電気軸、Ｙ軸が機械軸及びＺ軸
が光軸となるように水晶の単結晶から切り出されることになる。
【００５５】
このように電気軸が図１のＸ軸方向に配置されることにより、高精度が要求される携帯
電話装置等の電子機器全般に好適な略Ｈ型の音叉型水晶振動片１００となる。
【００５６】
また、水晶の単結晶から切り出す際、上述のＸ軸、Ｙ軸及びＺ軸からなる直交座標系に
おいて、Ｘ軸回りに、Ｘ軸とＹ軸とからなるＸＹ平面を反時計方向に約１度乃至５度傾け
た、所謂水晶Ｚ板として、略Ｈ型の音叉型水晶振動片１００が形成されることになる。
【００５７】
この略Ｈ型の音叉型水晶振動片１００は、基部１３０と、この基部１４０から図におい
てＹ軸方向に突出するように形成された例えば２本の振動細棒である腕部１２０，１３０
とを有している。
【００５８】
また、この２本の腕部１２０、１３０の表面１２０ｃ、１３０ｃには、図１に示すよう
に溝部１２０ａ，１３０ａがそれぞれ形成されている。また、この溝部は２本の腕部１２
０，１３０の裏面にも同様に形成されている（図示せず）。
【００５９】
したがって、図４に示すように腕部１２０、１３０には、溝部１２０ａ等が図において
上下方向に設けられているため、その断面形状が略Ｈ型に形成される。そして、この断面
形状が略Ｈ型なので略Ｈ型の音叉型水晶振動片１００と称している。
【００６０】
この略Ｈ型の音叉型水晶振動片１００には、図２に示すように電極が形成される。すな
わち、図２に示すように、基部１４０には、基部電極１４０ｄが形成され、腕部１２０、
１３０の溝部１２０ａ，１３０ａには、溝電極１２０ｄ，１３０ｄがそれぞれ形成される
。
【００６１】
また、腕部１２０，１３０のそれぞれの両側面１２０ｂ，１２０ｂ，１３０ｂ，１３０
ｂには、側面電極１２０ｅ，１３０ｅが形成されている。
【００６２】
さらに、図２に示すように腕部１２０の一方側の側面電極１２０ｅ（図において腕部１
２０の内側）と基板電極１４０ｄとを接続するための側面電極用接続電極１４１が設けら
れている。この側面電極用接続電極１４１は、具体的には、基部表面１４０ｃ及び腕部１
２０の表面１２０ｃに設けられ、その端部が前記一方側の側面電極１２０ｅと接続するよ
うになっている。
【００６３】
また、図２に示すように溝電極１２０ｄ、１３０ｄと基板電極１４０ｄとを接続するた
めの溝電極用接続電極１４２が，図においては２個形成されている。具体的には、基部表
面１４０ｃに配置され、その端部が溝電極１２０ｄ、１３０ｄと接続するようになってい
る。
【００６４】
このような基部電極１４０ｄ、側面電極用接続電極１４１、溝電極用接続電極１４２、
側面電極１３０ｅ及び溝電極１３０ｄの詳細な構成を示したのが、図３である。
【００６５】
図３の丸で囲んだ部分に示すように、略Ｈ型の音叉型水晶振動片１００の一方の腕部１
２０の溝部１２０ａの形状が、他方の腕部１３０の溝部１３０ａの形状と異なっている。
【００６６】
すなわち、溝部１２０ａの基部１４０に近接している部分の幅が他の溝１２０ａの部分
より狭く形成され、この部分に腕部１２０の内側の側面電極１２０ｅと接続される側面電
極用接続電極１４１が形成されている。
【００６７】
ところで、略Ｈ型の音叉型水晶振動子１００は、例えば共振周波数が３２．７６８ｋＨ
であるにもかかわらず、従来の３２．７６８ｋＨの音叉型水晶振動子と比べ、著しく小型
となっている。
【００６８】
すなわち、図４に示すように、略Ｈ型の音叉型水晶振動子００のＹ軸方向の長さは、例
えば約２．２ｍｍ程度となっており、略Ｈ型の音叉型水晶振動子１００のＸ軸方向の幅は
、約０．５６ｍｍ程度となっている。
【００６９】
この寸法は、従来の音叉型水晶振動片の一般的な寸法である、３．６ｍｍ（Ｙ軸方向）
、０．６９ｍｍ（Ｘ軸方向）と比べ著しく小さくなっている。
【００７０】
また、図４に示す腕部１２０のＹ軸方向の長さは、例えば約１．６ｍｍ程度であり、各
腕部１２０、１３０のＸ軸方向の幅は、例えば０．１ｍｍ程度となっている。
【００７１】
このような腕部１２０の大きさは、従来の一般的な腕部の寸法である２．４ｍｍ（Ｙ軸
方向）、０．２３ｍｍ（Ｘ軸方向）と比べ、著しく小さくなっている。
【００７２】
このように従来の音叉型水晶振動片と比べ著しく小さくなっている腕部１２０、１３０
には、上述のように溝部１２０ａ，１３０ａが形成されており、この溝部１２０ａ、１３
０ａは、腕部１２０，１３０の表面１２０ｃ、１３０ｃ上においてＹ軸方向に例えば約１
．３ｍｍ程度の長さに形成されている。この溝部１３０ａのＸ軸方向の幅は、図４に示す
ように例えば約０．０７ｍｍ程度であり、そのＺ軸方向の深さは、例えば約０．０２から
０．０４５ｍｍ程度となっている。
【００７３】
以上のような寸法に形成されている略Ｈ型の音叉型水晶振動片１００の図３における丸
で囲った部分の寸法は、図５に示すようになる。
【００７４】
すなわち、溝部１２０ａの基部１４０に近接している部分（図においてＣの部分）の幅
が例えば約０．０６ｍｍ程度に形成され、他の溝１２０ａの部分の幅である約０．０７ｍ
ｍと比べ０．０１ｍｍ狭く形成されている。
【００７５】
また、この溝部１２０ａに設けられている溝電極１２０ｄも同様の寸法で配置されてい
る。
【００７６】
一方、腕部１２０の内側の側面１２０ｂに形成された側面電極１２０ｅに対して側面電
極用接続電極１４１が配置されている。具体的には、腕部１２０の表面１２０ｃのうち溝
部１２０ａが設けられていない領域で、且つこの溝部１２０ａと接触等の短絡が生じない
位置である、図において腕部１２０の表面１２０ｃの左端部に配置される。
【００７７】
このように配置される側面電極用接続電極１４１は、腕部１２０の表面１２０ｃの左端
部に幅約０．０１ｍｍ程度で配置され、基部表面１４０ｃに形成されている側面電極用接
続電極１４１に繋がっている。
【００７８】
ところで、前記溝電極１２０ｄにも、図５に示すように、溝電極用接続電極１４２が接
続され、前記側面電極用接続電極１４１と一定の間隔を空けて配置され、図２に示す基部
電極１４０ｄと接続されている。
【００７９】
また、腕部１３０の溝部１３０ａに形成されている溝電極１３０ｄには、他の溝電極用
接続電極１４２が接続されている。この他の溝電極用接続電極１４２は、図２に示すよう
に途中で、前記側面電極用接続電極１４１と合流し、基部電極１４０ｄに接続されている
。
【００８０】
図２及び図５に示す電極の配置は、略Ｈ型の音叉型水晶振動片１００の表面側のみを示
したものあるが、裏面側にも、表面側と対称に同様の電極が配置される。
【００８１】
上述のように、腕部１２０の溝部１２０ａうち、図においてＣの部分の幅を約０．０７
ｍｍから約０．０６ｍｍに狭くして形成しているため、腕部１２０の表面１２０ｃのうち
、図において左端部と溝部１２０ａとの間は、約０．０１５ｍｍから約０．０２５ｍｍま
で広がることになる。したがって、この広がった部分（図においてＤで示す部分）が、腕
部１２０の内側の側面１２０ｄの側面電極１２０ｅと接続するための側面電極用接続電極
１４２を配置するための接続電極配置部となる。
【００８２】
すなわち、この接続電極配置部Ｄの部分が設けられない場合は、腕部１２０の表面１２
０ｃに形成された側面電極用接続電極１４１と溝電極１２０ｄ及び溝電極１２０ｄと接続
される溝電極用接続電極１４２との間の距離は約０．０１５ｍｍ程度しかなく、製造上の
誤差があると、側面電極用接続電極１４１と溝電極１２０ｄ等との間に接触やその他の短
絡等が生じ、略Ｈ型の音叉型水晶振動片１００の不良等が生じるおそれがある。
【００８３】
しかし、本実施の形態に係る略Ｈ型の音叉型水晶振動片１００では、上述の図５におい
てＤで示す接続電極配置部が形成されているため、製造上の誤差があっても、側面電極用
接続電極１４１と溝電極１２０ｄ等との間に接触やその他の短絡等が生じることががなく
、略Ｈ型の音叉型水晶振動片１００の不良等が生じる原因を取り除くことができる。
【００８４】
また、この接続電極配置部の形成は、腕部１２０の溝部１２０ａの幅を狭くするだけで
形成することができるため、特別な構成を略Ｈ型の音叉型水晶振動片１００に設ける必要
がなく、製造上のコストを上昇させることがない。
【００８５】
ところで、このように配置される溝電極１２０ｄ，側面電極１２０ｅ等の電極は、具体
的には、複数層、例えば２層から成り、下地としてＣｒ、上層がＡｕから形成されている
。この場合、Ｃｒの代わりにＮｉやＴｉ等を使用してもよい。
【００８６】
また、１層からなる場合もあり、このときは、例えばＡｌ層が用いられる。この他にも
、Ａｌ電極で表面を陽極酸化した電極やＣｒ電極１層で、このＣｒ層の上に保護膜として
ＳｉＯ2等を形成する電極も用いることができる。
【００８７】
さらに、電極の厚みは、例えば下層Ｃｒが１００Åで上層Ａｕが１０００Åと成ってい
る。
【００８８】
次に、上述のような略Ｈ型の音叉型水晶振動子１００の腕部１２０の断面を示したのが
図６である。図６に示すように腕部１２０には溝部１２０ａが図において上下方向にそれ
ぞれ設けられているため、その断面形状が略Ｈ形に形成されている。そして、この２カ所
の溝部１２０ａには、それぞれ溝電極１２０ｄが設けられている。また、腕部１２０の両
側面１２０ｂにも側面電極１２０ｅがそれぞれ設けられている。
【００８９】
本実施の形態に係る略Ｈ型の音叉型水晶振動片１００は以上のように構成されるが、以
下その動作等について説明する。
【００９０】
先ず、略Ｈ型の音叉型水晶振動片１００の外部の図示しない電源より電流が基部１４０
の基部電極１４０ｄに供給される。すると、この電流は、側面電極用接続電極１４１と溝
電極用接続電極１４２を経て側面電極１２０ｅと溝電極１２０ｄにそれぞれ供給される。
【００９１】
このとき、側面電極用接続電極１４１と溝電極１２０ｄ等との間には、上述のの図５に
おいてＤで示す接続電極配置部が形成されているため、製造上の誤差があっても、側面電
極用接続電極１４２と溝電極１２０ｄ等との間に接触やその他の短絡等が生じることがな
い。
【００９２】
このように溝電極１２０ｄと側面電極１２０ｅに電流が印加されると、図６に示す溝電
極１２０ｄと側面電極１２０ｅとの間に電界を発生し、圧電体である水晶の内部に電界が
深く分布することになる。
【００９３】
この電界の分布によって、圧電体である腕部１２０、１３０が振動し、音叉型振動片１
００が振動することになる。
【００９４】
このときの共振周波数は、例えば３２．７６８ｋＨとなっており、本実施の形態に係る
略Ｈ型の音叉型水晶振動片１００は、上述のように、腕部１２０、１３０の断面形状が略
Ｈ型に形成されているため、従来の３２．７６８ｋＨの音叉型水晶振動子と比べ、著しく
小型となっているにもかかわらず、性能が向上している。
【００９５】
（第２の実施の形態）
図７は、本実施の第２の形態に係る振動子であるセラミックパッケージ音叉型振動子２
００を示す図である。
【００９６】
このセラミックパッケージ音叉型振動子２００は、上述の第１の実施の形態の略Ｈ型の
音叉型水晶振動片１００を使用している。したがって、略Ｈ型の音叉型水晶振動片１００
の構成、作用等については、同一符号を付する等して、その説明を省略する。
【００９７】
図７は、セラミックパッケージ音叉型振動子２００の構成を示す概略断面図である。図
７に示すように、セラミックパッケージ音叉型振動子２００は、その内側に空間を有する
箱状のパッケージ２１０を有している。このパッケージ２１０には、その底部にベース部
２１１を備えている。このベース部２１１は、例えばアルミナ等のセラミックス等で形成
されている。
【００９８】
ベース部２１１の上には、封止部２１２が設けられており、この封止部２１２は、蓋体
２１３と同様の材料から形成されている。また、この封止部２１２の上には蓋体２１３が
載置され、これらベース部２１１、封止部２１２及び蓋体２１３で、中空の箱体を形成す
ることになる。
【００９９】
このように形成されているパッケージ２１０のベース部２１１上にはパッケージ側電極
２１４が設けられている。このパッケージ側電極２１４の上には導電性接着剤等を介して
電極１４０が形成されてた略Ｈ型の音叉型水晶振動片１００の端部が固定されている。
【０１００】
この略Ｈ型の音叉型水晶振動片１００は、パッケージ側電極２１４から一定の電流が与
えられると振動するようになっている。このとき、略Ｈ型の音叉型水晶振動片１００には
、図５に示すように、側面電極用接続電極１４１と溝電極１２０ｄ等との間には、図５に
おいてＤで示す接続電極配置部が形成されているため、製造上の誤差があっても、側面電
極用接続電極１４２と溝電極１２０ｄ等との間に接触やその他の短絡等が生じることがな
い。したがって、略Ｈ型の音叉型水晶振動片１００の性能を十分に発揮できるセラミック
パッケージ音叉型振動子２００となる。また、製造コストを上昇させることなく、セラミ
ックパッケージ音叉型振動子２００を製造することができる。
【０１０１】
（第３の実施の形態）
図８は、本実施の第３の形態に係る携帯電話装置であるデジタル携帯電話３００を示す
図である。
【０１０２】
このデジタル携帯電話３００は、上述の第３の実施の形態のセラミックパッケージ音叉
型振動子２００と略Ｈ型の音叉型水晶振動片１００を使用している。したがって、セラミ
ックパッケージ音叉型振動子２００と略Ｈ型の音叉型水晶振動片１００の構成、作用等に
ついては、同一符号を付する等して、その説明を省略する。
【０１０３】
図８は、デジタル携帯電話３００の回路ブロックを示す概略図である。図８に示すよう
に、デジタル携帯電話３００で送信する場合は、使用者が、自己の声をマイクロフォンに
入力すると、信号はパルス幅変調・符号化のブロックと変調器／復調器のブロックを経て
トランスミッター、アンテナスイッチを介しアンテナから送信されることになる。
【０１０４】
一方、他人の電話から送信された信号は、アンテナで受信され、アンテナスイッチ、受
信フィルター等を経て、レシーバーから変調器／復調器のブロックに入力される。そして
、変調又は復調された信号がパルス幅変調・符号化のブロックを経てスピーカーに声とし
て出力されるようになっている。
【０１０５】
このうち、アンテナスイッチや変調器／復調器ブロック等を制御するためにコントロー
ラが設けられている。
【０１０６】
このコントローラは、上述の他に表示部であるＬＣＤや数字等の入力部であるキー、さ
らにはＲＡＭやＲＯＭ等も制御するため、高精度であることが求められ、この高精度なコ
ントローラの要求に応えられるように高精度の上述のセラミックパッケージ音叉振動子２
００が用いられることになる。
【０１０７】
すなわち、セラミックパッケージ音叉振動子２００に収容されている略Ｈ型の音叉型水
晶振動片１００には、図５に示すように、側面電極用接続電極１４１と溝電極１２０ｄ等
との間には、図５においてＤで示す接続電極配置部が形成されているため、製造上の誤差
があっても、側面電極用接続電極１４２と溝電極１２０ｄ等との間に接触やその他の短絡
等が生じることがない。したがって、略Ｈ型の音叉型水晶振動片１００の性能を十分に発
揮できるセラミックパッケージ音叉型振動子２００を有するデジタル携帯電話３００とな
る。また、製造コストを上昇させることなく、デジタル携帯電話３００を製造することが
できる。
【０１０８】
（第４の実施の形態）
図９は、本実施の第４の実施の形態に係る発振器である音叉水晶発振器４００を示す図
である。
【０１０９】
このデジタル音叉水晶発振器４００は、上述の第３の実施の形態のセラミックパッケー
ジ音叉型振動子２００と多くの部分で構成が共通している。したがって、セラミックパッ
ケージ音叉型振動子２００と略Ｈ型の音叉型水晶振動片１００の構成、作用等については
、同一符号を付する等して、その説明を省略する。
【０１１０】
図９に示す音叉型水晶発振器４００は、図５に示すセラミックパッケージ音叉振動子２
００の略Ｈ型の音叉型水晶振動片１００の下方で、ベース部２１１の上に、図９に示すよ
うに集積回路４１０を配置したものである。
【０１１１】
すなわち、音叉水晶発振器４００では、その内部に配置された、略Ｈ型の音叉型水晶振
動片１００が振動すると、その振動は、集積回路４１０に入力され、その後、所定の周波
数信号を取り出すことで、発振器として機能することになる。
【０１１２】
すなわち、音叉水晶発振器４００に収容されている略Ｈ型の音叉型水晶振動片１００に
は、図５に示すように、側面電極用接続電極１４１と溝電極１２０ｄ等との間には、図５
においてＤで示す接続電極配置部が形成されているため、製造上の誤差があっても、側面
電極用接続電極１４２と溝電極１２０ｄ等との間に接触やその他の短絡等が生じることが
ない。したがって、略Ｈ型の音叉型水晶振動片１００の性能を十分に発揮できる音叉水晶
発振器４００となる。また、製造コストを上昇させることなく、音叉型水晶発振器４００
を製造することができる。
【０１１３】
（第５の実施の形態）
図１０は、本実施の第５の実施の形態に係る振動子であるシリンダータイプ音叉振動子
５００を示す図である。
【０１１４】
このシリンダータイプ音叉振動子５００は、上述の第１の実施の形態の略Ｈ型の音叉型
水晶振動片１００を使用している。したがって、略Ｈ型の音叉型水晶振動片１００の構成
、作用等については、同一符号を付する等して、その説明を省略する。
【０１１５】
図１０は、シリンダータイプ音叉振動子５００の構成を示す概略図である。
【０１１６】
図１０に示すようにシリンダータイプ音叉振動子５００は、その内部に略Ｈ型の音叉型
水晶振動片１００を収容するための金属製のキャップ５３０を有している。このキャップ
５３０は、ステム５２０に対して圧入され、その内部が真空状態に保持されるようになっ
ている。
【０１１７】
また、キャップ５３０に収容された略Ｈ型の音叉型水晶振動片１００を保持すうための
リード５１０が２本配置されている。
【０１１８】
このようなシリンダータイプ音叉振動子５００に外部より電流を印加すると略Ｈ型の音
叉型水晶振動片１００の腕部１２０が振動し、振動子として機能することになる。
【０１１９】
このとき、略Ｈ型の音叉型水晶振動片１００には、図５に示すように、側面電極用接続
電極１４１と溝電極１２０ｄ等との間には、図５においてＤで示す接続電極配置部が形成
されているため、製造上の誤差があっても、側面電極用接続電極１４２と溝電極１２０ｄ
等との間に接触やその他の短絡等が生じることがない。したがって、略Ｈ型の音叉型水晶
振動片１００の性能を十分に発揮できるシリンダータイプ音叉振動子５００となる。また
、製造コストを上昇させることなく、シリンダータイプ音叉振動子５００を製造すること
ができる。
【０１２０】
また、上述の各実施の形態では、３２．７３８ｋＨの音叉型水晶振動子を例に説明した
が、１５ｋＨ乃至１５５ｋＨの音叉型水晶振動子に適用できることは明らかである。
【０１２１】
なお、上述の実施の形態に係る略Ｈ型の音叉型水晶振動片１００は、上述の例のみなら
ず、他の電子機器、携帯情報端末、さらに、テレビジョン、ビデオ機器、所謂ラジカセ、
パーソナルコンピュータ等の時計内蔵機器及び時計にも用いられることは明らかである。
【０１２２】
さらに、本発明は、上記実施の形態に限定されず、特許請求の範囲を逸脱しない範囲で
種々の変更を行うことができる。そして、上記実施の形態の構成は、その一部を省略した
り、上述していない他の任意の組み合わせに変更することができる。
【０１２３】
本発明によれば、製造コストを上昇させずに、簡単な構成で電極に不良が生じるのを未然
に防ぐことをができる振動片、振動子、発振器及び携帯電話装置を提供することができる
。
【図面の簡単な説明】
【０１２４】
【図１】本発明の第１の実施の形態に係る電極形成前の略Ｈ型の音叉型水晶振動片を示す概略斜視図である。
【図２】図１の略Ｈ型の音叉型水晶振動片に電極が形成された状態を示す概略斜視図である。
【図３】図２の電極の配置の詳細を示した概略斜視図である。
【図４】図１に示す略Ｈ型の音叉型水晶振動片の寸法を示す概略図である。
【図５】図３の丸で囲んだ部分を示す概略拡大図である。
【図６】図２の略Ｈ型の音叉型水晶振動片の腕部の概略断面図である。
【図７】セラミックパッケージ音叉型振動子の構成を示す概略断面図である。
【図８】デジタル携帯電話の回路ブロックを示す概略図である。
【図９】音叉水晶発振器の構成を示す概略断面図である。
【図１０】シリンダータイプ音叉振動子の構成を示す概略図である。
【図１１】従来の音叉型水晶振動片の構成を示す概略図である。
【図１２】図１１のＡ−Ａ'断面図である。
【符号の説明】
【０１２５】
１００…略Ｈ型の音叉型水晶振動片、１２０，１３０…腕部、１２０ａ，１３０ａ…溝
部、１２０ｂ，１３０ｂ…側面、１２０ｃ，１３０ｃ…表面、１２０ｄ，１３０ｄ…溝電
極、１２０ｅ，１３０ｅ…側面電極、１４０…基部、１４０ｃ…基部表面、１４０ｄ…基
部電極、１４１…側面電極用接続電極、１４２…溝電極用接続電極、Ｃ…溝部の基部に近
接している部分、Ｄ…接続電極配置部、２００…セラミックパッケージ音叉振動子、２１
０…パッケージ、２１１…ベース部、２１２…封止部、２１３…蓋体、２１４…パッケー
ジ側電極、３００…デジタル携帯電話、４００…音叉水晶発振器、４１０…集積回路、５
００…シリンダータイプ音叉振動子、５１０…リード、５２０…ステム、５３０…キャッ
プ。
【図１】
2006340392.tif 000003
【図２】
2006340392.tif 000004
【図３】
2006340392.tif 000005
【図４】
2006340392.tif 000006
【図５】
2006340392.tif 000007
【図６】
2006340392.tif 000008
【図７】
2006340392.tif 000009
【図８】
2006340392.tif 000010
【図９】
2006340392.tif 000011
【図１０】
2006340392.tif 000012
【図１１】
2006340392.tif 000013
【図１２】
2006340392.tif 000014